(57)【特許請求の範囲】
【請求項１】
格子状リブで形成された底部と通気窓が形成された側壁と中仕切り部材とを有する中仕切り容器であって、中仕切り部材が、底部の一方の相対する辺部に立設された相対する端部縦板と、底部のもう一方の相対する辺部に立設された相対する端部縦板と、底部の一方の相対する辺部に立設された相対する端部縦板の上端を連結する水平連結板と、底部のもう一方の相対する辺部に立設された相対する端部縦板の上端を連結する水平連結板と、底部の一方の相対する辺部に立設された相対する端部縦板の上端を連結する水平連結板と底部のもう一方の相対する辺部に立設された相対する端部縦板の上端を連結する水平連結板との交叉部に形成された交叉板部と、水平連結板と底部の格子状リブとの間に形成された垂直連結板とから構成されているとともに、水平連結板及び交叉板部には、格子状リブで形成された底部の上方及び下方からの空気の流れを遮断しないように、通気窓が形成されており、また、側壁には、該側壁と相対する端部縦板に形成された通気窓に重なるように通気窓が形成されており、更に、側壁に対して垂直方向の空気の流れが、側壁に形成された通気窓、該通気窓と重なるように、端部縦板に形成された通気窓、垂直連結板の上部に形成され、且つ、水平連結板に形成された通気窓に連通する切り欠き部、及び、交叉板部を囲むように配置された垂直連結板の上部に形成され、且つ、交叉板部に形成された通気窓に連通する切り欠き部を通して流れ、側壁、端部縦板及び垂直連結板が、側壁に対して垂直方向の空気の流れ遮断しないように構成されていることを特徴とする中仕切り容器。
【請求項２】
底部の周辺には、２重の棒状リブ枠が形成されていることを特徴とする請求項１に記載の中仕切り容器。
【発明の詳細な説明】
【０００１】
【発明の属する技術分野】
本発明は、ヨーグルトや牛乳等の乳製品や食料品等の冷蔵保管が必要な食品が収容されたカップや瓶等の保管や運搬や搬送等に使用される中仕切り容器に関するものである。
【０００２】
【従来の技術】
従来、乳製品や食料品等の冷蔵保管が必要な食品が収容されたカップや瓶等が収容される仕切り部材を有するとともに、通風性を高めるために、仕切り部材に通気孔を形成した中仕切り容器が知られている。
【０００３】
【発明が解決しようとする課題】
上述した従来の中仕切り容器は、仕切り部材の一部に、空気の流れを邪魔する壁が形成されており、従って、通気性が悪く、冷蔵保管での冷却に時間がかかったり、或いは、中仕切り容器に収容されているカップや瓶等の冷却状態にバラツキが生ずるという問題があった。
【０００４】
本発明の目的は、上述した従来の中仕切り容器が有する課題を解決することにある。
【０００５】
【課題を解決するための手段】
本発明は、上述した目的を達成するために、第１には、格子状リブで形成された底部と通気窓が形成された側壁と中仕切り部材とを有する中仕切り容器であって、中仕切り部材が、底部の一方の相対する辺部に立設された相対する端部縦板と、底部のもう一方の相対する辺部に立設された相対する端部縦板と、底部の一方の相対する辺部に立設された相対する端部縦板の上端を連結する水平連結板と、底部のもう一方の相対する辺部に立設された相対する端部縦板の上端を連結する水平連結板と、底部の一方の相対する辺部に立設された相対する端部縦板の上端を連結する水平連結板と底部のもう一方の相対する辺部に立設された相対する端部縦板の上端を連結する水平連結板との交叉部に形成された交叉板部と、水平連結板と底部の格子状リブとの間に形成された垂直連結板とから構成されているとともに、水平連結板及び交叉板部には、格子状リブで形成された底部の上方及び下方からの空気の流れを遮断しないように、通気窓が形成されており、また、側壁には、該側壁と相対する端部縦板に形成された通気窓に重なるように通気窓が形成されており、更に、側壁に対して垂直方向の空気の流れが、側壁に形成された通気窓、該通気窓と重なるように、端部縦板に形成された通気窓、垂直連結板の上部に形成され、且つ、水平連結板に形成された通気窓に連通する切り欠き部、及び、交叉板部を囲むように配置された垂直連結板の上部に形成され、且つ、交叉板部に形成された通気窓に連通する切り欠き部を通して流れ、側壁、端部縦板及び垂直連結板が、側壁に対して垂直方向の空気の流れ遮断しないように構成したものであり、第２には、底部の周辺に、２重の棒状リブ枠が形成されているものである。
【０００６】
【実施例】
以下に、本発明の実施例について説明するが、本発明の趣旨を越えない限り何ら、本実施例に限定されるものではない。
【０００７】
中仕切り容器は、底部１と、底部１の長辺部１ａから外側に傾斜して延設された、相対する長側壁２ａ、２ｂと、底部１の短辺部１ｂから外側に傾斜して延設された、相対する短側壁２ｃ、２ｄとを有する容器本体Ｃと、容器本体Ｃ内に形成された仕切り部材Ｐとから構成されている。
【０００８】
相対する長側壁２ａ、２ｂ及び相対する短側壁２ｃ、２ｄの上端からは、水平方向に外側に延在するフランジ３が、容器本体Ｃの開口部を囲むように形成されている。２ｅは、長側壁２ａ、２ｂ側に位置するフランジ３の下方で、長側壁２ａ、２ｂの端部を除いて形成された水平リブであり、２ｆは、短辺側及び長側壁２ａ、２ｂの両端部付近に位置するフランジ３の下方で、短側壁２ｃ、２ｄ及び長側壁２ａ、２ｂの両端部付近に形成された水平リブである。
【０００９】
ｐ１は、フランジ３から底部１に向かって、長側壁２ａ、２ｂの一方の隅部寄りの内壁に形成された縦長の凹部からなるポケットであり、容器本体Ｃの略半分の深さを有している。ｃ１は、ポケットｐ１と適当な間隙を置いて或いはポケットｐ１に隣接して、ポケットｐ１より、容器本体Ｃの中央部寄りの長側壁２ａ、２ｂの外壁に形成された支脚であり、支脚ｃ１は、底部１付近まで延びるように形成されている。上記のポケットｐ１の内幅は、上記の支脚ｃ１の外幅より広く形成されている。以下、このような、幅広のポケットｐ１と幅狭の支脚ｃ１との組み合わせを幅広ポケット・支脚部Ｓ１と称する。
【００１０】
ｃ２は、長側壁２ａ、２ｂのもう一方の隅部寄りの外壁に形成された、上述した支脚ｃ１より、幅広の支脚であり、支脚ｃ２は、底部１付近まで延びるように形成されている。ｐ２は、支脚ｃ２と適当な間隙を置いて或いは支脚ｃ２に隣接して、支脚ｃ２より、容器本体Ｃの中央部寄りの長側壁２ａ、２ｂの内壁に形成された縦長の凹部からなるポケットであり、容器本体Ｃの略半分の深さを有しており、該ポケットｐ２は、幅広ポケット・支脚部Ｓ１のポケットｐ１の内幅より狭い内幅を有している。以下、このような、幅広の支脚ｃ２と幅狭のポケットｐ２との組み合わせを幅広支脚・ポケット部Ｓ２と称する。
【００１１】
幅広ポケット・支脚部Ｓ１の幅狭の支脚ｃ１の外幅は、幅広支脚・ポケット部Ｓ２の幅狭のポケットｐ２の内幅より狭く形成されており、従って、ネスティングの際には、幅広ポケット・支脚部Ｓ１の幅狭の支脚ｃ１が、幅広支脚・ポケット部Ｓ２の幅狭のポケットｐ２に挿入できるように構成されている。また、幅広支脚・ポケット部Ｓ２の幅広の支脚ｃ２の外幅は、幅広ポケット・支脚部Ｓ１の幅広ポケットｐ１の内幅より狭く形成されており、従って、ネスティングの際には、幅広支脚・ポケット部Ｓ２の幅広の支脚ｃ２が、幅広ポケット・支脚部Ｓ１の幅広のポケットｐ１に挿入できるように構成されている。
【００１２】
上述した幅広ポケット・支脚部Ｓ１は、相対する長側壁２ａ、２ｂの一方の隅部付近に、互いに対向して配置されており、また、相対する長側壁２ａ、２ｂのもう一方の隅部付近には、互いに対向するように、幅広支脚・ポケット部Ｓ２が配置されている。
【００１３】
相対する短側壁２ｃ、２ｄのうち、一方の短側壁２ｃの隅部付近の外壁には、底部１付近まで延びる支脚ｃ３が形成されている。また、支脚ｃ３の容器本体Ｃの中央部寄りの短側壁２ｃの内壁には縦長の凹部からなるポケットｐ３が形成されている。このような、支脚ｃ３とポケットｐ３との組み合わせを、短側壁側支脚・ポケット部Ｓ３と称する。同様に、相対する短側壁２ｃ、２ｄのうち、もう一方の短側壁２ｄの隅部付近の内壁には縦長の凹部からなるポケットｐ４が形成されている。また、ポケットｐ４の容器本体Ｃの中央部寄りの短側壁２ｄの外壁には、底部１付近まで延びる支脚ｃ４が形成されている。このような、支脚ｃ４とポケットｐ４との組み合わせを、短側壁側支脚・ポケット部Ｓ４と称する。上記の短側壁側支脚・ポケット部Ｓ３、Ｓ４を構成する支脚ｃ３、ｃ４は同じ形状に形成されており、また、ポケットｐ３、ｐ４も同じ形状に構成されている。そして、短側壁２ｃ、２ｄに沿った容器本体Ｃの中心線を挟んで、短側壁側支脚・ポケット部Ｓ３のポケットｐ３と短側壁側支脚・ポケット部Ｓ４の支脚ｃ４が、また、短側壁側支脚・ポケット部Ｓ３の支脚ｃ３と短側壁側支脚・ポケット部Ｓ４のポケットｐ４が、線対称に配設されている。
【００１４】
下に位置する容器本体Ｃと上に位置する容器本体Ｃとが、同じ向きになるように、即ち、下に位置する容器本体Ｃの幅広ポケット・支脚部Ｓ１の上方に、上に位置する容器本体Ｃの幅広ポケット・支脚部Ｓ１が位置し、また、下に位置する容器本体Ｃの幅広支脚・ポケット部Ｓ２の上方に、上に位置する容器本体Ｃの幅広支脚・ポケット部Ｓ２が位置するように、更に、下に位置する容器本体Ｃの短辺側支脚・ポケット部Ｓ３の上方に、上に位置する容器本体Ｃの短側壁側支脚・ポケット部Ｓ３が位置し、更にまた、下に位置する容器本体Ｃの短側壁側支脚・ポケット部Ｓ４の上方に、上に位置する容器本体Ｃの短側壁側支脚・ポケット部Ｓ４が位置するように容器本体Ｃを積み重ねると、上に位置する容器本体Ｃの合計８本の支脚ｃ１、ｃ２、ｃ３、ｃ４が、下に位置する容器本体Ｃのフランジ３に載置されるので、下に位置する容器本体Ｃの上に、上に位置する容器本体Ｃがスタッキングされることになる。
【００１５】
また、スタッキング状態から、上に位置する容器本体Ｃを、平面的に、１８０度回転させて、下に位置する容器本体Ｃと上に位置する容器本体Ｃとが、異なる向きになるように、即ち、下に位置する容器本体Ｃの幅広ポケット・支脚部Ｓ１の上方に、上に位置する容器本体Ｃの幅広支脚・ポケット部Ｓ２が位置し、また、下に位置する容器本体Ｃの幅広支脚・ポケット部Ｓ２の上方に、上に位置する容器本体Ｃの幅広ポケット・支脚部Ｓ１が位置し、更に、上に位置する容器本体Ｃの短側壁側支脚・ポケット部Ｓ３の上方に、下に位置する容器本体Ｃの短側壁側支脚・ポケット部Ｓ４が位置し、更にまた、上に位置する容器本体Ｃの短側壁側支脚・ポケット部Ｓ４の上方に、下に位置する容器本体Ｃの短側壁側支脚・ポケット部Ｓ３が位置するように配置すると、下に位置する容器本体Ｃの幅広ポケット・支脚部Ｓ１の幅広のポケットｐ１に、上に位置する容器本体Ｃの幅広支脚・ポケット部Ｓ２の幅広の支脚ｃ２が、また、下に位置する幅広支脚・ポケット部Ｓ２の幅狭のポケットｐ２に、上に位置する幅広ポケット・支脚部Ｓ１の幅狭の支脚ｃ１が、更に、下に位置する容器本体Ｃの短側壁側支脚・ポケット部Ｓ３のポケットｐ３に、上に位置する容器本体Ｃの短側壁側支脚・ポケット部Ｓ４の支脚ｃ４が、更にまた、下に位置する容器本体Ｃの短側壁側支脚・ポケット部Ｓ４のポケットｐ４に、上に位置する容器本体Ｃの短側壁側支脚・ポケット部Ｓ３の支脚ｃ３が、それぞれ挿入されることになり、従って、上に位置する容器本体Ｃの略半分が、下に位置する容器本体Ｃの内部に嵌め込まれてネスティングされることになる。
【００１６】
なお、上述した、長側壁２ａ、２ｂ及び短側壁２ｃ、２ｄに配設された幅広ポケット・支脚部Ｓ１、幅広支脚・ポケット部Ｓ２及び短側壁側支脚・ポケット部Ｓ３、Ｓ４の配置は、上述した配置に限定されるものではなく、下に位置する容器本体Ｃと上に位置する容器本体Ｃとが、同じ向きに積み重ねられた際には、下に位置する容器本体Ｃの開口部に形成されたフランジ上に、上に位置する容器本体Ｃの支脚が載置されて、上に位置する容器本体Ｃが、下に位置する容器本体Ｃに嵌め込まれないように積み重ねられる、所謂、スタッキングされ、また、スタッキング状態から、上に位置する容器本体Ｃを、平面的に、１８０度回転させることにより、上に位置する容器本体Ｃの支脚が、下に位置する容器本体Ｃのポケットに挿入されて、上に位置する容器本体Ｃが、下に位置する容器本体Ｃに嵌め込まれる、所謂、ネスティングされるような配置であればどのような配置でもよい。
【００１７】
なお、容器本体Ｃに、幅広ポケット・支脚部Ｓ１や幅広支脚・ポケット部Ｓ２や短辺側支脚・ポケット部Ｓ３、Ｓ４を設け、容器本体Ｃを、ネスティング及びスタッキング可能に構成することなく、通常の箱型容器に形成することもできる。
【００１８】
底部１は、長辺部１ａに平行に、所定の間隔で形成された長辺リブ１ｃと、短辺部１ｂに平行に、所定の間隔で形成された短辺リブ１ｄとから格子状に形成されており、また、長側壁２ａ、２ｂと短側壁２ｃ、２ｄには、適当数の通気窓２ｇが形成されている。
【００１９】
次に、仕切り部材Ｐについて説明する。
【００２０】
１０は、底部１の長辺部１ａ上に、長側壁２ａ、２ｂと略平行に、所定の間隔を置いて立設された長辺側の端部縦板であり、本実施例においては、長辺部１ａに沿って、それぞれ、３個の長辺側の端部縦板１０が形成されている。１１は、短側壁２ｃ、２ｄと略平行に、底部１の短辺部１ｂ上の略中央に立設された短辺側の端部縦板である。長辺側の端部縦板１０と短辺側の端部縦板１１とは、同じ高さに形成されており、本実施例においては、容器本体Ｃの略半分の高さに形成されている。
【００２１】
１２は、相対する長辺側の端部縦板１０同士を、その上端で連結する短側壁２ｃ、２ｄに沿った水平連結板であり、１３は、相対する短辺側の端部縦板１１を連結する長側壁２ａ、２ｂに沿った水平連結板である。短側壁２ｃ、２ｄに沿った水平連結板１２と長側壁２ａ、２ｂに沿った水平連結板１３との交叉板部１４は、その平面形状が略菱形に形成されている。そして、短側壁２ｃ、２ｄに沿った水平連結板１２と長側壁２ａ、２ｂに沿った水平連結板１３と交叉板部１４とにより、底部１と略平行な板状の仕切り天板Ｐ’が形成されている。水平連結板１２、１３と、水平連結板１２、１３の下方に位置する底部１を形成する長辺リブ１ｃと短辺リブ１ｄとは、垂直連結板１５で連結されている。
【００２２】
交叉板部１４には、適当数の通気窓１４ａが形成されており、また、水平連結板１２、１３にも、適当数の通気窓１２ａ、１３ａが形成されている。更に、長辺側の端部縦板１０及び短辺側の端部縦板１１にも、それぞれ、通気窓１０ａ、１１ａが形成されている。
【００２３】
底部１の周辺を形成する長辺部１ａに一番近い長辺リブ１ｃと水平連結板１２と間に形成された垂直連結板１５ａの上部には、水平連結板１２に形成された通気窓１２ａに連通する切り欠き部１５ａ’が形成されている。また、底部１の周辺を形成する短辺部１ｂに一番近い短辺リブ１ｄと水平連結板１３と間に形成された垂直連結板１５ｂの上部には、水平連結板１３に形成された通気窓１３ａに連通する切り欠き部１５ｂ’が形成されている。更に、底部１の周辺を形成する長辺部１ａから２番目に位置する長辺リブ１ｃと水平連結板１２と間に形成された垂直連結板１５ｃには、下方が開放された切り欠き部１５ｃ’が形成されている。また更に、交叉板部１４を囲むように配置された４つの垂直連結板１５ｄの上部には、交叉板部１４に形成された通気窓１４ａに連通する切り欠き部１５ｄ’が、それぞれ、形成されている。
【００２４】
上述したように、長側壁２ａ、２ｂと短側壁２ｃ、２ｄには、適当数の通気窓２ｇが形成されているが、少なくとも、長側壁２ａ、２ｂには、長辺側の端部縦板１０に形成された通気窓１０ａに重なるように、通気窓２ｇが形成されており、また、同様に、少なくとも、短側壁２ｃ、２ｄにも、短辺側の端部縦板１１に形成された通気窓１１ａに重なるように、通気窓２ｇが形成されている。
【００２５】
長側壁２ａ、２ｂ、短側壁２ｃ、２ｄ、水平連結板１２、１３及び交叉板部１４とにより囲まれた空間部に、冷蔵保管が必要な食品が収容されたカップや瓶Ｂが収容されるように構成されている。
【００２６】
底部１は、長辺部１ａに平行に、所定の間隔で形成された長辺リブ１ｃと、短辺部１ｂに平行に、所定の間隔で形成された短辺リブ１ｄとにより格子状に形成されているので、底部１の下方及び上方からの空気の流れが、底部１により遮断されるようなことがない。また、水平連結板１２、１３及び交叉板部１４には、それぞれ、通気窓１２ａ、１３ａ、１４ａが形成されているので、底部１の下方及び上方からの空気の流れが、水平連結板１２、１３及び交叉板部１４により遮断されるようなことがない。
【００２７】
また、長側壁２ａ、２ｂに対して垂直方向の空気の流れは、長側壁２ａ、２ｂに形成された通気窓２ｇ、長辺側の端部縦板１０に形成された通気窓１０ａ、底部１の周辺を形成する長辺部１ａに一番近い長辺リブ１ｃと水平連結板１２と間に形成された垂直連結板１５ａの上部に形成され、且つ、水平連結板１２に形成された通気窓１２ａに連通する切り欠き部１５ａ’、及び、交叉板部１４を囲むように配置された４つの垂直連結板１５ｄの上部に形成され、且つ、交叉板部１４に形成された通気窓１４ａに連通する切り欠き部１５ｄ’を通過して流れるので、長側壁２ａ、２ｂに対して垂直方向の空気の流れは、一方の長側壁２ａからもう一方の長側壁２ｂに向かって遮断されることなく流れることができる。
【００２８】
更に、短側壁２ｃ、２ｄに対して垂直方向の空気の流れは、短側壁２ｃ、２ｄに形成された通気窓２ｇ、短辺側の端部縦板１１に形成された通気窓１１ａ、底部１の周辺を形成する短辺部１ｂに一番近い短辺リブ１ｄと水平連結板１３と間に形成された垂直連結板１５ｂの上部に形成され、且つ、水平連結板１３に形成された通気窓１３ａに連通する切り欠き部１５ｂ’、及び、交叉板部１４を囲むように配置された４つの垂直連結板１５ｄの上部に形成され、且つ、交叉板部１４に形成された通気窓１４ａに連通する切り欠き部１５ｄ’を通過して流れるので、短側壁２ｃ、２ｄに対して垂直方向の空気の流れは、一方の短側壁２ｃからもう一方の短側壁２ｄに向かって遮断されることなく流れることができる。
【００２９】
上述したように、長側壁２ａ、２ｂに対して垂直方向の空気の流れ、短側壁２ｃ、２ｄに対して垂直方向の空気の流れ及び底部１に対して上下方向の空気の流れは、いずれも、仕切り部材Ｐにより遮断されることがないので、冷蔵保管が必要な食品が収容されたカップや瓶Ｂの冷却効率が向上し、従って、カップや瓶Ｂの冷却時間の短縮化が実現できるとともに、カップや瓶Ｂを均一に冷却することができる。
【００３０】
また、底部１の周辺を形成する長辺部１ａと短辺部１ｂとに一番近い長辺リブ１ｃと短辺リブ１ｄとには、下方が開放された切り欠きが形成されておらず、長辺リブ１ｃと短辺リブ１ｄとは連続した棒状のリブとして形成されているので、底部１の周辺には、長辺部１ａと短辺部１ｂ及び長辺リブ１ｃと短辺リブ１ｄとの２重の棒状リブ枠が形成されている。従って、底部１の十分な強度が確保できるとともに、中仕切り容器が、ローラーコンベヤやベルトコンベヤ等の搬送装置により搬送される場合にも、十分な耐久性が確保できる。
【００３１】
更に、中仕切り容器には、幅広ポケット・支脚部Ｓ１、幅広支脚・ポケット部Ｓ２、短側壁側支脚・ポケット部Ｓ３、Ｓ４が形成されているとともに、中仕切り部材Ｐの高さは、容器本体Ｃの略半分或いは半分以下の高さに形成されているので、中仕切り容器のネスティングの際に、中仕切り部材Ｐがネスティングの邪魔になるようなことがない。
【００３２】
上述した実施例には、平面形状が長方形の中仕切り容器が示されているが、平面形状を正方形に形成することも、また、円形状や楕円形状に形成することもできる。
【００３３】
【発明の効果】
本発明は、以上説明した構成を有しているので、以下に記載する効果を奏するものである。
【００３４】
中仕切り部材を、底部の周辺に形成された端部縦板と、該端部縦板を連結する水平連結板と、交叉板部と、水平連結板と底部の格子状リブとの間に形成された垂直連結板とにより構成するとともに、前記端部縦板、水平連結板、交叉板部及び垂直連結板に、通気窓或いは切り欠き部を形成したので、側壁に対して垂直方向の空気の流れ及び底部に対して上下方向の空気の流れが、いずれも、仕切り部材により遮断されることがないので、冷蔵保管が必要な食品が収容されたカップや瓶等の冷却効率が向上し、従って、カップや瓶等の冷却時間の短縮化が実現できるとともに、カップや瓶等を均一に冷却することができる。
【００３５】
底部の周辺に、２重の棒状リブ枠を形成したので、底部の十分な強度が確保できるとともに、中仕切り容器が、ローラーコンベヤやベルトコンベヤ等の搬送装置により搬送される場合にも、十分な耐久性が確保できる。
【図面の簡単な説明】
【図１】図１は本発明の中仕切り容器の斜視図である。
【図２】図２は同じく本発明の中仕切り容器の下方から見た斜視図である。
【図３】図３は長側壁と短側壁とが省略された本発明の中仕切り容器の斜視図である。
【図４】図４は本発明の中仕切り容器の平面図である。
【図５】図５は図４のＩ−Ｉ線に沿った垂直断面図である。
【符号の説明】
Ｃ・・・・・・・・・容器本体
Ｐ・・・・・・・・・中仕切り部材
１・・・・・・・・・底部
２・・・・・・・・・側壁
１０、１１・・・・・端部縦板
１２、１３・・・・・水平連結板
１４・・・・・・・・交叉板部
１５・・・・・・・・垂直連結板
【図１】
0004047508.tif 000002
【図２】
0004047508.tif 000003
【図３】
0004047508.tif 000004
【図４】
0004047508.tif 000005
【図５】
0004047508.tif 000006